(57)【要約】【課題】  中子を用いることなく横穴を形成し得るようにした時計輪列支持板の成形方法及び時計輪列支持板成形用金型、並びにこれにより成形される時計輪列支持板及びこれを備えた時計を提供すること【解決手段】  時計輪列支持板１０の成形方法では、対向表面に複数の突起部を備えた一対の金型７０，８０を近接させて、該一対の金型７０，８０のうちの一方の金型８０の複数の突起部８５，８６の先端部を他方の金型の複数の突起部７４，７５，７６の先端部の間に嵌合させ、該一対の金型７０，８０により形成される空所９２ｒ，９３ｆ，９３ｒ，９４ｆに成形材料を充填して、該一対の金型の複数の突起部の相互に嵌合した一連の先端部７４ａ，８５ａ，７５ａ，８６ａ，７６ａに対応する横穴２０を備えた時計輪列支持板１０を形成する。【選択図】  図１
2007046925.tif 000002
【特許請求の範囲】
【請求項１】
対向表面に複数の突起部を備えた一対の金型を近接させて、該一対の金型のうちの一方の金型の複数の突起部の先端部を他方の金型の複数の突起部の先端部の間に嵌合させ、
該一対の金型により形成される空所に成形材料を充填して、該一対の金型の複数の前記突起部の相互に嵌合した一連の前記先端部に対応する横穴を備えた時計輪列支持板を形成する
ことからなる時計輪列支持板の成形方法。
【請求項２】
請求項１に記載の方法により時計輪列支持板を成形するための時計輪列支持板成形用金型構造体。
【請求項３】
型締め位置と離型位置との間で相対的に可動な第一及び第二の金型を備えた時計輪列支持板成形用金型構造体であって、
前記第一の金型が、前記第二の金型に対面する表面から該第二の金型に向かって平行に延びた先端部を備えた突起部を複数有し、
前記第二の金型が、前記第一の金型に対面する表面から該第一の金型に向かって平行に延び、型締め位置に設定された際前記第一の金型の前記複数の突起部のうちの隣接する突起部の先端部の間に嵌合される先端部を備えた突起部を複数有し、
前記型締め位置において、前記第一及び前記第二の金型の複数の前記突起部の相互に嵌合した前記先端部が、該先端部の延在方向に対して交差する方向に連続的に延びる軸状空所形成部を構成する
時計輪列支持板成形用金型構造体。
【請求項４】
前記第一及び前記第二の金型のうちの一方の金型の前記複数の突起部のうちの少なくとも一つの突起部が他の突起部とは異なる高さを有する請求項３に記載の金型構造体。
【請求項５】
前記第一及び前記第二の金型のうちの一方の金型の前記複数の突起部のうちの少なくとも一組の隣接する突起部間の凹部の前記表面が、他の組の隣接する突起部間の凹部の前記表面とは異なる高さを有する請求項３又は４に記載の金型構造体。
【請求項６】
前記第一及び前記第二の金型のうちの一方の金型の前記複数の突起部のうちの少なくとも一組の隣接する突起部間の凹部の前記表面が異なる高さの表面部分を有する請求項３から５までのいずれか一つの項に記載の金型構造体。
【請求項７】
前記第一及び前記第二の金型のうちの一方の金型が他方の金型の前記前記複数の突起部のうちの一つの突起部の先端部の先端面の中間部に先端面で当接する小突起部を有する請求項３から６までのいずれか一つの項にに記載の金型構造体。
【請求項８】
前記第一及び前記第二の金型の前記突起部が成形されるべき時計輪列支持板に対して垂直に延びる請求項５から７までのいずれか一つの項に記載の金型構造体。
【請求項９】
前記軸状空所形成部により形成される空所が、時計の巻真挿通穴である請求項５から８までのいずれか一つの項に記載の金型構造体。
【請求項１０】
板本体の一側面で開口し該一側面から前記板本体の延在方向に延びる長穴を備えた時計輪列支持板であって、
該時計輪列支持板は、前記長穴を規定すべく、前記板本体の厚さ方向の一方の側に該穴の長手方向に間隔をおいて設けられた第一組の複数の穴規定壁部と、該穴の厚さ方向の他方の側に該穴の長手方向に間隔をおいて設けられた第二組の複数の穴規定壁部とを有し、
板本体の厚さ方向の前記一方の側のうち、前記第二組の各穴規定壁部に対して厚さ方向に対向する部位は、前記第一組の穴規定壁部の間の前記第一組の間隙になっており、
板本体の厚さ方向の前記他方の側のうち、前記第一組の各穴規定壁部に対して厚さ方向に対向する部位は、前記第二組の穴規定壁部の間の前記第二組の間隙になっている
時計輪列支持板。
【請求項１１】
前記板本体の厚さ方向の前記一方の側のうち、前記第二組の複数の前記間隙の少なくとも一部の間隙に対して厚さ方向に対向する部位が、前記第一組の間隙になっている請求項１０に記載の時計輪列支持板。
【請求項１２】
請求項１０又は１１に記載の時計輪列支持板を備えた時計。
【発明の詳細な説明】
【技術分野】
【０００１】
本発明は、板本体の延在方向に延びる穴（横穴）を備えた地板の如き時計輪列支持板の成形方法及び時計輪列支持板成形用金型構造体、並びにこれにより成形される時計輪列支持板及び該支持板を備えた時計に係る。
【背景技術】
【０００２】
地板の周面（側面）で開口し該開口部から該地板の延在方向に延びた穴部の形態の巻真挿通穴を備えた地板を有する腕時計は、周知である（例えば、特許文献１，２等）
【０００３】
この種の従来の腕時計の巻真及び地板は、例えば、図５に示したような構造を有する。すなわち、図５の断面図に部分的に示したように、腕時計１０１は、外装ケース（図示せず）の内部に、輪列受１０２等と協働して時計輪列１０３を支持する地板１１０を有する。地板１１０は、巻真１３０が装着される巻真挿通孔１２０を備える。この例では、後述のようにつづみ車に日の裏車が直接噛合されることから、巻真挿通孔１２０が貫通孔になっているけれども、特許文献１や特許文献２に示されているように、巻真挿通用空所は、奥端部に壁部がある有底の穴の形態を採ることもある。
【０００４】
巻真１３０は、中径の角柱状部１３１や大径円柱状部１３２や中径のソロバン玉状部１３３や基端側の大径軸部１３４を有する。巻真１３０は、また、角柱状部１３１と大径円柱状部１３２との間に連結小径軸部１３７を備えると共に、ソロバン玉状部１３３の両側に小径部１３６ａ，１３６ｂを備える。基端側大径軸部１３４は、係止用鍔部１３８を中間に備えると共に、該鍔部１３８よりも奥側の軸部１３４ａと該鍔部１３８よりも外側（基端側）に位置するりゅうず装着用の軸部１３４ｂとを含む。
【０００５】
巻真挿通孔１２０は、巻真１３０の基端側大径軸部１３４の鍔部１３８及び奥側軸部１３４ａがＸ１，Ｘ２方向に摺動して出入可能な入口側の大径円筒状孔部１２１，１２２と、大径円柱状部１３２がＸ１，Ｘ２方向に摺動可能な奥側の大径円筒状孔部１２３とを有する。入口の大径円筒状孔部１２１は、地板１１０の外側面１１１の一側１１１ａで開口し、奥側の大径円筒状孔部１２３は地板１１０の壁部１１２の奥側側面１１２ａで開口している。なお、地板１１０は、壁部１１２の奥側側面１１２ａに沿った部位に、地板１１０の表側から裏側まで厚さ方向Ｚに延びるつづみ車収容凹部１１３を備える。つづみ車収容凹部１１３の底面はほぼ半円筒状（横断面がほぼ半円形）である。地板１１０は、また、このつづみ車収容凹部１１３の奥に、巻真１３０の先端の角柱状部１３１が表面１１４ａに沿ってＸ２方向に突出可能な壁部１１４を備える。地板１１０は、また、巻真１３０のソロバン玉状部１３３の両側の小径部１３６ａ，１３６ｂのところに、厚さ方向Ｚに延びたばね部収容孔部１１５を備える。
【０００６】
つづみ車収容凹部１１３には、つづみ車１５０が配設されている。つづみ車１５０は、巻真１３０の角柱状部１３１と相補的な横断面形状の中径の角筒状孔部１５１及びその先端側に位置し角柱状部１３１に外接する形状の中径の円筒状孔部１５２を備えると共に、基端側に円柱状大径孔部１５３を備え、奥端に歯車部１５４を備える。巻真１３０が、図５に示したように、Ｘ１方向に引出された針回し位置に設定された際には、つづみ車１５０の角筒状孔部１５１に巻真１３０の角柱状部１３１に丁度嵌合され、巻真１３０の中心軸線Ａのまわりでの回転に応じてつづみ車１５０が回転される。一方、巻真１３０がＸ２方向に押込まれた通常運針位置にある場合には、つづみ車１５０は、その角筒状孔部１５１が小径軸部１３７に遊嵌され円筒状孔部１５２が巻真１３０の角柱状部１３１に外接する状態で巻真１３０に嵌合され、該巻真１３０に対して中心軸線Ａのまわりで回転自在になる。
【０００７】
つづみ車１５０の歯車部１５４は、地板１１０の壁部１１４の軸受部１１４ｂ及び輪列受１０２の軸受部１０２ａにより軸部１６１，１６２で回転自在に支持された日の裏車１６０の歯車部１６３に噛合されている。日の裏車１６０は、歯車部１６３で、図示しない分車のかな部に噛合され、地板１１０の裏側にＺ２方向に突出したかな部１６４で、図示しない筒車（時車）の歯車部に噛合されている。
【０００８】
輪列受１０２に支持された電池プラス端子１６５の一部をなすばね部１６６は折り曲げられた先端部１６７の開口１６８で巻真１３０の小径部１３６ｂ又は１３６ａに係合される。巻真１３０が、Ｘ１，Ｘ２方向に出入れされると、ばね部１６６は、ソロバン玉状部１３３を弾性的に押えつつ巻真１３０のＸ１，Ｘ２方向への出入れを許容して他方の小径部１３６ａ又は１３６ｂに弾性的に嵌り込むことにより、クリック感を出すと共に巻真１３０を当該位置で安定に保持する。なお、１６９は筒車押えである。
【０００９】
以上のように、電子時計１０１では、輪列支持板としての地板１１０は大まかには板状体からなり、一平面（この場合、Ｘ−Ｙ平面）に沿って拡がり、且つ該地板１１０の延在面に沿う方向に、巻真１３０が地板１１０の外周縁部１１１ａから中央部に向かって延在するように地板１１０に支持された状態で、地板１１０に直接的又は間接的に支持された輪列等の時計部品１５０，１６０，１６５等に対して、直接的又は間接的に係合されることが、不可欠である。従って、従来の電子時計１０１では、用いられる時計部品の種類や配置によって多少の相違はあるものの、必ず、地板１１０の外周縁部１１１ａから地板１１０の中央部に向かって、地板１１０の厚さ方向Ｚの中間部に沿って巻真１３０の挿入孔（又は穴）１２０が設けられていた。
【００１０】
このような巻真挿通孔１２０を備えた地板１１０を成形により形成するためには、地板１１０の表裏の方向から相互に近接離間される一対の金型に加えて、厚さ方向に対して直角な方向に挿入される細長いピン状の中子ないしスライドコアを用いることが不可欠であり、全体として成形金型の構造が複雑になり成形コストが高くなるのを避け難かった。特に、腕時計のように小さくて精密な機械においては、中子ないしスライドコアも必然的に細く（例えば、１ｍｍ程度）なり、その取扱いにも注意を要した。
【００１１】
本発明者は、このような地板の成形コストを最低限に抑える手段について鋭意研究・開発を行なった結果、中子ないしスライドコアを用いることなく地板の如き輪列支持板を成形できることに思い至った。
【特許文献１】実開平１−４４４９２号公報（マイクロフィルム）
【特許文献２】実用新案登録第２５９６９９２号明細書
【発明の開示】
【発明が解決しようとする課題】
【００１２】
本発明は、前記した点に鑑みなされたものであって、その目的とするところは、中子を用いることなく横穴を形成し得るようにした時計輪列支持板の成形方法及び時計輪列支持板成形用金型、並びにこれにより成形される時計輪列支持板及びこれを備えた時計を提供することにある。
【課題を解決するための手段】
【００１３】
本発明の時計輪列支持板の成形方法は、前記目的を達成すべく、対向表面に複数の突起部を備えた一対の金型を近接させて、該一対の金型のうちの一方の金型の複数の突起部の先端部を他方の金型の複数の突起部の先端部の間に嵌合させ、該一対の金型により形成される空所に成形材料を充填して、該一対の金型の複数の前記突起部の相互に嵌合した一連の前記先端部に対応する横穴を備えた時計輪列支持板を形成することからなる。
【００１４】
本発明の時計輪列支持板の成形方法では、一対の金型の複数の突起部の相互に嵌合した一連の先端部によって横穴を形成し得るので、横穴の形成のために中子を要しない。すなわち、本発明の時計輪列支持板の成形方法では、一対の金型を近接・離間させるだけで横穴を備えた時計輪列支持板を成形し得るので、成形が容易に行なわれ得るだけでなく、金型の数を最小限にし得且つ成形金型の構造の複雑化を避け得るので、金型及び成形に要するコストも最低限に抑え得る。
【００１５】
なお、時計輪列支持板は、典型的には、地板であるけれども、その代わりに、輪列受であっても、他の受部材等であってもよい。横穴は、典型的には、巻真の挿通穴であるけれども、場合によっては、他の棒状ないしピン状体が挿入される穴でもよい。横穴は、奥端が閉じられた有底穴（メクラ穴）であっても、奥端が貫通（開口）した貫通孔であってもよい。更に、横穴は、典型的には、時計輪列支持板の厚さ方向に直角な方向に延びるけれども、場合によっては、多少傾斜していてもよい。なお、横穴は、典型的には横断面の大きさの異なる複数の部分を有するけれども、所望ならば、長さ方向の全体が同一の大きさ及び形状の横断面を有していてもよい。横穴は、典型的には、該横穴に挿入されるピン状体に外接される壁面を備える。その場合、横穴は、横断面形状が、矩形の如き四角形その他の多角形状の部分を備えていても、円形や楕円形状のなどの部分を備えていてもよい。
【００１６】
また、本発明の時計輪列支持板成形用金型構造体は、前記目的を達成すべく、型締め位置と離型位置との間で相対的に可動な第一及び第二の金型を備えた時計輪列支持板成形用金型構造体であって、第一の金型が、第二の金型に対面する表面から該第二の金型に向かって平行に延びた先端部を備えた突起部を複数有し、第二の金型が、第一の金型に対面する表面から該第一の金型に向かって平行に延び、型締め位置に設定された際第一の金型の前記複数の突起部のうちの隣接する突起部の先端部の間に嵌合される先端部を備えた突起部を複数有し、型締め位置において、第一及び第二の金型の複数の前記突起部の相互に嵌合した前記先端部が、該先端部の延在方向に対して交差する方向に連続的に延びる軸状空所形成部を構成する。
【００１７】
本発明の時計輪列支持板成形用金型構造体では、「型締め位置と離型位置との間で相対的に可動な第一及び第二の金型を備え、型締め位置において、第一及び第二の金型の複数の突起部の相互に嵌合した先端部が、先端部の延在方向に対して交差する方向に連続的に延びる軸状空所形成部を構成する」ので、軸状空所形成部によって形成される先端部の延在方向に対して交差する方向に連続的に延びる軸状空所（すなわち横穴）の形成のために中子を要しない。すなわち、本発明の時計輪列支持板成形用金型構造体では、一対の金型を型締め位置と離型位置との間で相対的に移動させるだけで軸状空所（横穴）を備えた時計輪列支持板を成形し得るので、成形が容易に行なわれ得るだけでなく、金型構造体を構成する金型の数を最小限にし得且つ金型構造の複雑化を避け得るので、金型のコストを含めた成形コストも最低限に抑え得る。
【００１８】
なお、本発明の時計輪列支持板成形用金型構造体では、「第一の金型が、第二の金型に対面する表面から該第二の金型に向かって平行に延びた先端部を備えた突起部を複数有し、第二の金型が、第一の金型に対面する表面から該第一の金型に向かって平行に延び、型締め位置に設定された際第一の金型の前記複数の突起部のうちの隣接する突起部の先端部の間に嵌合される先端部を備えた突起部を複数有する」ので、型締め位置において第一及び第二の金型の夫々の突起部形成表面（凹部ないし空所の底面）及び該金型の隣接する突起部の基端部と他方の金型の突起部の先端面との間に形成される金型構造体の空所が軸状空所を規定する壁部（周壁の一部）になる。
【００１９】
なお、時計輪列支持板やその軸状空所（横穴）の構造や形状について成形方法についての説明の項に記載したとおりである。
【００２０】
本発明の時計輪列支持板成形用金型構造体では、典型的には、第一及び第二の金型のうちの一方の金型の前記複数の突起部のうちの少なくとも一つの突起部が他の突起部とは異なる高さを有する。その場合、長手方向の部位によって異なる大きさの軸状空所が形成され得る。但し、高さが全て同じであってもよい。他方の金型の前記複数の突起部のうちの少なくとも一つの突起部も他の突起部とは異なる高さを有していてもよい。
【００２１】
本発明の時計輪列支持板成形用金型構造体では、典型的には、第一及び第二の金型のうちの一方の金型の前記複数の突起部のうちの少なくとも一組の隣接する突起部間の凹部の前記表面が、他の組の隣接する突起部間の凹部の前記表面とは異なる高さを有する。その場合、軸状空所の長手方向の部位によって異なる外形形状の時計輪列支持板が形成され得る。但し、高さが全て同じであってもよい。なお、他方の金型の前記複数の突起部のうちの少なくとも一組の隣接する突起部間の凹部の前記表面が他の組の隣接する突起部間の凹部の前記表面もとは異なる高さを有していてもよい。
【００２２】
本発明の時計輪列支持板成形用金型構造体では、典型的には、第一及び第二の金型のうちの一方の金型の前記複数の突起部のうちの少なくとも一組の隣接する突起部間の凹部の前記表面が異なる高さの表面部分を有する。この場合も、軸状空所の長手方向の部位によって異なる外形形状の時計輪列支持板が形成され得る。但し、凹部の表面が全て一平面上に位置していてもよい。なお、凹部が異なる高さの表面部分を有するとみなす代わりに、第一及び第二の金型のうちの一方の金型の前記複数の突起部のうちの少なくとも一つの突起部が異なる高さの表面部分を有するとみなしてもよい。この場合にも、他方の金型の前記複数の突起部のうちの少なくとも一組の隣接する突起部間の凹部の前記表面も異なる高さの表面部分を有していてもよい。
【００２３】
本発明の時計輪列支持板成形用金型構造体では、第一及び第二の金型のうちの一方の金型が他方の金型の前記前記複数の突起部のうちの一つの突起部の先端部の先端面の中間部に先端面で当接する小突起部を有していてもよい。
【００２４】
その場合、第一及び第二の金型の型締め位置を当該当接によって正確に規定し得るだけでなく、軸状空所を規定する壁部（周壁の一部）として横方向の一方に延びた壁部を形成し得る。
なお、他方の金型も前記一方の金型の前記前記複数の突起部のうちの一つの突起部の先端部の先端面の中間部に先端面で当接する小突起部を有していてもよい。
【００２５】
本発明の時計輪列支持板成形用金型構造体では、典型的には、第一及び第二の金型の前記突起部が成形されるべき時計輪列支持板に対して実質的に垂直に延びる。すなわち、突起部の側面は、典型的には、一対の金型が近接・離間される方向と平行に延びる。但し、所望ならば、突起部の基端部は、先端側程細くなるような部分を一部又は全体に備えていてもよい。なお、典型的には、一対の金型は、直線的に近接離間されるけれども、所望ならば、一つの軸に沿って回動されて近接・離間されてもよい。その場合、全ての突起部は、平面ではなくて、同心の円筒状面を備える。
【００２６】
本発明の時計輪列支持板は、前記目的を達成すべく、板本体の一側面で開口し該一側面から板本体の延在方向に延びる長穴を備えた時計輪列支持板であって、該時計輪列支持板は、前記長穴を規定すべく、板本体の厚さ方向の一方の側に該穴の長手方向に間隔をおいて設けられた第一組の複数の穴規定壁部と、該穴の厚さ方向の他方の側に該穴の長手方向に間隔をおいて設けられた第二組の複数の穴規定壁部とを有し、板本体の厚さ方向の前記一方の側のうち、第二組の各穴規定壁部に対して厚さ方向に対向する部位は、第一組の穴規定壁部の間の第一組の間隙になっており、板本体の厚さ方向の前記他方の側のうち、第一組の各穴規定壁部に対して厚さ方向に対向する部位は、第二組の穴規定壁部の間の第二組の間隙になっている。
【００２７】
本発明の時計輪列支持板では、時計輪列支持板の板本体の延在方向に延びる長穴を規定する穴規定壁部が板本体の厚さ方向にみて、穴の両側にはなく一方の側のみにあるので、該穴を備えた時計輪列支持板が、厚さ方向に近接・離間される一対の金型によって形成され得る。
【００２８】
本発明の時計輪列支持板では、典型的には、板本体の厚さ方向の前記一方の側のうち、第二組の複数の前記間隙の少なくとも一部の間隙に対して厚さ方向に対向する部位が、第一組の間隙になっている。その場合、長穴に対して厚さ方向に交差する凹部ないし間隙が形成され得る。勿論、板本体の厚さ方向の前記他方の側のうち、第一組の複数の前記間隙の少なくとも一部の間隙に対して厚さ方向に対向する部位が、第二組の間隙になっているとみなしてもよい。
【００２９】
また、本発明の時計輪列支持板において、所望ならば、板本体の厚さ方向の前記一方の側のうち、第二組の各間隙に対して厚さ方向に対向する部位は、第一組の穴規定壁部になっており、板本体の厚さ方向の前記他方の側のうち、第一組の各間隙に対して厚さ方向に対向する部位は、第二組の穴規定壁部になっていてもよい。
【００３０】
その場合、穴内に挿通され該穴内を延びる巻真の如き時計部品は、厚さ方向のいずれの側についても、穴規定壁部によって保持され得る。
【００３１】
以上のような時計輪列支持板は、典型的には、腕時計のような小型の時計に用いられる。時計は、電池及び水晶発振器などによって駆動される電子時計であっても、機械式の時計であってもよい。
【発明を実施するための最良の形態】
【００３２】
次に、本発明の好ましい一実施の形態を添付図面に示した好ましい一実施例に基づいて説明する。
【実施例】
【００３３】
本発明の好ましい一実施例の時計輪列支持板の成形方法としての地板の成形方法及び成形用金型構造体について説明する前に、該成形方法及び該成形用金型構造体により成形されるに適した構造の本発明の好ましい一実施例の時計輪列支持板としての地板及びこれを備えた電子時計について、説明する。
【００３４】
図１の（ｂ）及び図３には、本発明の好ましい一実施例の時計輪列支持板としての地板１０を備えた電子時計１の一部が示されている。この電子時計１は、地板１０の構造ないし形状が地板１１０と異なる点を除いて、図５に示した従来の電子時計１０１と同様に構成されている。
【００３５】
すなわち、図１の（ｂ）の断面図に部分的に示したように、腕時計の形態の電子時計１は、外装ケース（図示せず）の内部に、輪列受２等と協働して時計輪列３を支持する地板１０を有する。地板１０は、巻真３０が装着される巻真挿通孔２０を備える。
【００３６】
巻真３０は、巻真１３０と同様に、中径の角柱状部３１や大径円柱状部３２や中径のソロバン玉状部３３や基端側の大径軸部３４を有する。巻真３０は、また、角柱状部３１と大径円柱状部３２との間に連結小径軸部３７を備えると共に、ソロバン玉状部３３の両側に小径部３６ａ，３６ｂを備える。基端側大径軸部３４は、係止用鍔部３８を中間に備えると共に、該鍔部３８よりも奥側の軸部３４ａ及び該鍔部３８よりも外側（基端側）のりゅうず装着用の軸部３４ｂを含む。この例では、大径軸部３４が大径円柱状部３２よりも大きい径を有するけれども、大径軸部３４の径は大径円柱状部３２と同一の径であってもよい。また、ソロバン玉状部３３も軸部３４又は円柱状部３２の少なくとも一方と同一の径であってもよい。大径円柱状部３２の奥側に円錐台状部３２ａ等がある限り、連結小径軸部３７はなくてもよい。
【００３７】
Ｘ方向に延びた巻真挿通孔２０は、地板１０の外側面１１のうち該孔２０の開口部１１ａからＸ２方向に見た場合には孔の形態であるけれども、以下に詳述するように、Ｘ方向に垂直な横断面で見た場合、Ｘ方向のどの位置においても、孔２０の全周を完全に包囲する周壁は、存在せず、周壁の一部が必ず欠けている。
【００３８】
巻真挿通孔２０は、巻真３０の基端側大径軸部３４の鍔部３８がＸ１，Ｘ２方向に摺動して出入可能な入口側の表側及び裏側の周面部２１ｆ，２１ｒにより規定される一種の孔状部２１と、基端側大径軸部３４の奥側軸部３４ａがＸ１，Ｘ２方向に摺動して出入可能な中間の表側及び裏側の周面部２２ｆ，２２ｒにより規定される一種の孔状部２２と、大径円柱状部３２がＸ１，Ｘ２方向に摺動可能な奥側の表側及び裏側の周面部２３ｆ，２３ｒにより規定される一種の孔状部２３とを有する。ここで、入口側の表側及び裏側の周面部２１ｆ，２１ｒ、中間の表側及び裏側の周面部２２ｆ，２２ｒ及び奥側の表側及び裏側の周面部２３ｆ，２３ｒは、夫々、Ｘ方向の異なる延在範囲Ｘｂ，Ｘｃ，Ｘｄ，Ｘｅ，Ｘｇ，Ｘｈに位置する。
【００３９】
なお、図１の（ｂ）の断面図及び図２の斜視図からわかるように、入口側の表側周面部２１ｆは、ＸＹ平面に沿って延びる平面状の表側面２１ｆ１に加えて、該表側平面２１ｆ１に対して直角にＺＸ平面に沿って延びる平面状の側部平面２１ｆ２，２１ｆ３を含む。従って、巻真３０の円柱状鍔部３８は、外周面で、四つの平面２１ｆ１，２１ｆ２，２１ｆ３及び２１ｒによって規定される正方形の筒状平面に内接し、該四平面２１ｆ１，２１ｆ２，２１ｆ３，２１ｒによって、Ｘ１，Ｘ２方向に摺動可能に支持される。
【００４０】
すなわち、この例では、四平面２１ｆ１，２１ｆ２，２１ｆ３，２１ｒが、Ｘ方向に見た（投影した）場合、円柱状鍔部３８の横断面をなす円に外接する正方形を構成する。但し、表側面２１ｆと裏側面２１ｒとで円柱状鍔部３８の円に外接する多角形や円その他の閉曲線を規定し得、表側面２１ｆがＺ２方向に拡がるか同一形状で裏側面２１ｒがＺ１方向に拡がるか同一形状である限り、表側面２１ｆや裏側面２１ｒの形状は異なっていてもよい。
【００４１】
また、この例では、側部平面部２１ｆ２，２１ｆ３が表側平面部２１ｆの一部をなすことから、表平面部２１ｆ１と同様に範囲Ｘａに沿って延在する。但し、範囲Ｘａの一部の範囲内で広がっていてもよい。
【００４２】
なお、側部平面部２１ｆ２，２１ｆ３のうちの一方もしくは両方又は一部分が表平面部２１ｆ１の代わりに裏側平面部２１ｒの一部になっていてもよい。但し、その場合、側部平面部２１ｆ２，２１ｆ３の全体又は一部分は、範囲ＸｂにおいてＸ方向に延在する代わりに、裏側平面部２１ｒと同一の範囲Ｘｃ又はその一部においてＸ方向に延在する。
【００４３】
同様に、中間の表側周面部２２ｆは、ＸＹ平面に沿って延びる平面状の表側面２２ｆ１に加えて、該表側平面部２２ｆ１に対して直角にＺＸ平面に沿って延びる平面状の側部表面部２２ｆ２，２２ｆ３を含む。巻真３０の基端側大径軸部３４の奥側軸部３４ａが、外周面で、四つの平面２２ｆ１，２２ｆ２，２２ｆ３及び２２ｒによって規定される正方形の筒状平面に内接し、該四平面２２ｆ１，２２ｆ２，２２ｆ３，２２ｒによって、Ｘ１，Ｘ２方向に摺動可能に支持される。なお、平面部２１ｆ，２１ｒについての上記説明や変更可能性は、表面部２２ｆ，２２ｒにもそのまま当てはまる。
【００４４】
更に、奥側の表側周面部２３ｆは、ＸＹ平面に沿って延びる平面状の表側面２３ｆ１に加えて、該表側平面部２３ｆ１に対して直角にＺＸ平面に沿って延びる平面状の側部平面部２３ｆ２，２３ｆ３を含む。巻真３０の大径円柱状部３２は、外周面で、四つの平面部２３ｆ１，２３ｆ２，２３ｆ３及び２３ｒによって規定される正方形の筒状平面に内接し、該四平面２３ｆ１，２３ｆ２，２３ｆ３，２３ｒによって、Ｘ１，Ｘ２方向に摺動可能に支持される。表面部２１ｆ，２１ｒについての上記説明や変更可能性は、平面部２３ｆ，２３ｒにもそのまま当てはまる。
【００４５】
入口の孔状部２１は、地板１０の外側面１１の部位１１ａで開口し、奥側の孔状部２３は該孔状部２３を規定する面２３ｆ，２３ｒを与える地板１０の壁部１２ｆ，１２ｒの奥側側面１２ｆａ，１２ｒａで開口している。なお、地板１０は、壁部１２ｆの奥側側面１２ｆａに沿った部位に、地板１０の表側から裏側まで厚さ方向Ｚに延びるつづみ車収容凹部１３を備える。図２からわかるように、つづみ車収容凹部１３の底面１３ａは半円筒状（横断面が半円形）で中央部に開口１３ｂを備える。
【００４６】
地板１０は、また、このつづみ車収容凹部１３の奥に、巻真３０の先端の角柱状部３１が表面１４ａに沿ってＸ２方向に突出可能な壁部１４を備える。地板１０は、更に、巻真３０のソロバン玉状部３３の両側の小径部３６ａ，３６ｂのところに、ばね部収容孔部１５を備える。このばね収容凹部１５は、面２２ｆ，２３ｆを備えた壁部１６ｆ，１２ｆの側面１６ｆａ，１２ｆｂによって大まかなＸ方向領域Ｘｅ，Ｘｆ，Ｘｇが規定され、更に、面２２ｒ，２３ｒを備えた壁部１６ｒ，１２ｒの側面１６ｒａ，１２ｒｂによってＸ方向領域ないし範囲Ｘｆに規定される。
【００４７】
なお、図２において、１０ｓは、地板１０を輪列受２に対して位置決めし・熱カシメにより固定するためのピン状部であり、１０ｔは、発振器を構成する水晶缶（図示せず）の配設領域である。
【００４８】
以上において、巻真挿通孔２０のうち、Ｘ方向領域ないし範囲Ｘｂ，Ｘｃにある孔部２１の面２１ｆ，２１ｒは、地板１０の壁部１７ｆ，１７ｒによって規定される。地板１０は、図１の（ｂ）等からわかるように、Ｘ方向領域ないし範囲ＸｂのＸ１側において、巻真３０の裏側Ｚ２に壁部１８ｒを更に備える。
【００４９】
以上のように構成された地板１０は、図５に示した従来の電子時計１０１の地板１１０と比較して、図４に示したような差異がある。図４において、地板１１０にはあるけれども地板１０にはない壁部部分（地板１０が壁部を欠く部分）は想像線で示され、地板１１０にはないけれども地板１０にある壁部部分は破線で示されている。
【００５０】
すなわち、地板１０は、地板１１０と異なり、壁部１７ｆの存在する領域Ｘｂにおいて、裏側壁部Ｗｒ１を欠き、当該領域が空所ないし間隙Ｈｒ１になっている。また、地板１０は、地板１１０と異なり、壁部１６ｆの存在する領域Ｘｄにおいて、裏側壁部Ｗｒ２を欠き、当該領域が空所ないし間隙Ｈｒ２になっている。更に、地板１０は、地板１１０と異なり、壁部１２ｆの存在する領域Ｘｈにおいて、裏側壁部Ｗｒ３を欠き、当該領域が空所ないし間隙Ｈｒ３になっている。
【００５１】
加えて、地板１０は、地板１１０と異なり、壁部１７ｒの存在する領域Ｘｃにおいて、表側壁部Ｗｆ１を欠き、当該領域が空所ないし間隙Ｈｆ１になっている。また、地板１０は、地板１１０と異なり、壁部１６ｒ，１２ｒの存在する領域Ｘｅ，Ｘｇにおいて、表側壁部Ｗｆ２，Ｗｆ３を欠き、当該領域が空所ないし間隙Ｈｆ２，Ｈｆ３になっている。
【００５２】
以上において、壁部１７ｆ，１６ｆ，１２ｆが一方の組の穴規定壁部を構成し、壁部１７ｒ，１６ｒ，１２ｒが他方の組の穴規定壁部を構成する。
【００５３】
なお、この例では、地板１０の壁部１６ｒ，１２ｒの強度確保ないし形状維持等のために、領域Ｘｅ，Ｘｇにおける裏側壁部部分の形状等が多少地板１１０とは異なる。但し、場合によっては、地板１１０の該当部分と同様な形状等であってもよい。
【００５４】
つづみ車収容凹部１３には、つづみ車５０が配設されている。つづみ車５０は、巻真３０の角柱状部３１と相補的な横断面形状の中径の角筒状孔部５１及びその先端側に位置し角柱状部３１に外接する形状の中径の円筒状孔部５２を備えると共に、基端側に円柱状大径孔部５３を備え、奥端に歯車部５４を備える。図３に示したように、巻真３０がＸ１方向に引出された針回し位置Ｐ１に設定された際には、つづみ車５０の角筒状孔部５１に巻真３０の角柱状部３１に丁度嵌合され、巻真３０の中心軸線Ａのまわりでの回転に応じてつづみ車５０が回転される。一方、図１の（ｂ）に示したように、巻真３０がＸ２方向に押込まれた通常運針位置Ｐ０にある場合には、つづみ車５０は、その角筒状孔部５１が小径軸部３７に遊嵌され円筒状孔部５２が巻真３０の角柱状部３１に外接する状態で巻真３０に嵌合され、該巻真３０に対して中心軸線Ａのまわりで回転自在になる。
【００５５】
つづみ車５０の歯車部５４は、地板１０の壁部１４の軸受部１４ｂ及び輪列受２の軸受部２ａにより軸部６１，６２で回転自在に支持された日の裏車６０の歯車部６３に噛合されている。日の裏車６０は、歯車部６３で、図示しない分車のかな部に噛合され、地板１０の裏側にＺ２方向に突出したかな部６４で、図示しない筒車（時車）の歯車部に噛合されている。
【００５６】
輪列受２に支持された電池プラス端子６５の一部をなすばね部６６は折り曲げられた先端部６７の開口６８で巻真３０の小径部３６ｂ又は３６ａに係合される。より詳しくは、この例では、ばね部６６は、開口６８の裏側壁部６８ａで巻真３０の係合部分をＺ１方向に引上げるような弾性偏倚力を巻真３０に及ぼす。巻真３０が、Ｘ１，Ｘ２方向に出入れされると、ばね部６６は、ソロバン玉状部３３をＺ１方向に弾性的に引上げる向きに偏倚させつつ巻真３０のＸ１，Ｘ２方向への出入れを許容して他方の小径部３６ａ又は３６ｂに弾性的に嵌り込むことにより、クリック感を出すと共に巻真３０を当該位置で安定に保持する。なお、６９は筒車押えである。
【００５７】
以上の如く構成された電子時計１では、地板１０が、従来の地板１１０と比較して、巻真挿通孔２０の周囲において、凹部Ｈｒ１，Ｈｒ２，Ｈｒ３，Ｈｆ１，Ｈｆ２で壁部を欠くけれども、巻真３０のＸ１，Ｘ２方向の案内は、地板１１０と同様に行なわれ得る。
【００５８】
すなわち、図１の（ｂ）に示したように、巻真３０が通常運針位置Ｐ０にある場合には、鍔部３８を壁部１７ｆ，１７ｒで支持し、円柱状部３４ａを壁部１６ｆ，１６ｒで支持し、円柱状部３２を壁部１２ｆで支持すると共に角柱状部３１を壁部１４で支持するので、地板１０は巻真３０を安定に支持し得る。また、この状態Ｐ０では、ばね部６６が巻真３０の鍔部３８及び円柱状部３４ａ，３２をＺ１方向に引上げて壁部１７ｆ，１６ｆ，１２ｆの壁面２１ｆ，２２ｆ，２３ｆに押付けるような偏倚力を巻真３０に及ぼすので、巻真３０は、壁部１７ｆ，１６ｆ，１２ｆによって安定に支持され得る。
【００５９】
一方、図３に示したように、巻真３０が針回し位置Ｐ１にある場合には、鍔部３８を壁部１７ｆで支持し、円柱状部３４ａを壁部１６ｆで支持し、円柱状部３２を壁部１２ｆ，１２ｒで支持する。なお、この状態Ｐ１においても、ばね部６６が多少なりとも巻真３０をＺ１方向に引上げて鍔部３８及び円筒状部３４ａ，３２を壁部１７ｆ，１６ｆ，１２ｆの壁面２１ｆ，２２ｆ，２３ｆに押付けるので、巻真３０は、壁部１７ｆ，１６ｆ，１２ｆによって安定に支持され得る。
【００６０】
更に、巻真３０が、通常運針位置Ｐ０から針回し位置Ｐ１にＸ１方向に引出される場合、壁部１７ｒによる鍔部３８の支持、及び壁部１６ｒによる円筒状部３４ａの支持は、巻真３０の引出しの途中で解除されるけれども、円筒状部３２が壁部１２ｒによって支持されるようになるから、巻真３０は地板１０によって安定に支持され得る。なお、巻真３０がＸ１方向に引出される途中で、裏側壁部１７ｒ，１６ｒ，１２ｒによる支持が全てなくなるような状態が生じるのを避けるべく、表裏の壁部１７ｆ，１７ｒ，１６ｆ，１６ｒ，１２ｆ，１２ｒのＸ方向延在範囲を設定しておく。また、所望ならば、巻真３０が、位置Ｐ０，Ｐ１及びその間の位置で、片持ち状に支持される状態になるのを避けるべく、表裏の壁部１７ｆ，１７ｒ，１６ｆ，１６ｒ，１２ｆ，１２ｒを更に細かく分けて、表裏に分散（分布）させておくようにしてもよい。例えば、巻真３０が針回し位置Ｐ１にある際に、壁部１８ｒによって鍔部３８を支持させるように壁部１８ｒの壁面１８ｒａ（図３参照）を設定しておいてもよい。
【００６１】
なお、このように位置Ｐ０から位置Ｐ１への変位の際においても、ばね部６６が巻真３０をＺ１方向に引上げて鍔部３８及び円筒状部３４ａ，３２を壁部１７ｆ，１６ｆ，１２ｆの壁面２１ｆ，２２ｆ，２３ｆに押付けるので、巻真３０は、壁部１７ｆ，１６ｆ，１２ｆによって安定に支持され得る。特に、位置Ｐ０から位置Ｐ１への変位に際しては、ばね部６６の開口６８をソロバン玉状部３３が通過するので、開口６８の壁部６８ａが巻真３０に対してＺ１方向に及ぼす弾性偏倚力が強くなるから、壁部１７ｆ，１６ｆ，１２ｆの壁面２１ｆ，２２ｆ，２３ｆへの巻真３０の対応部分３８，３４ａ，３２の押付け力が強くなるから、巻真３０の支持は、安定に保たれる。
【００６２】
巻真３０が針回し位置Ｐ１から通常運針位置Ｐ０にＸ２方向に押込まれるときにも、表裏の壁部１７ｆ，１７ｒ，１６ｆ，１６ｒ，１２ｆ，１２ｒが同様に巻真３０を支持し、ばね部６６によって巻真３０が壁部１７ｆ，１６ｆ，１２ｆの壁面２１ｆ，２２ｆ，２３ｆに押付けられるから、巻真３０が安定に支持され得る。
【００６３】
この電子時計１では、つづみ車に日の裏車が直接噛合されることから、巻真挿通孔２０が貫通孔になっているけれども、特許文献１や特許文献２に示されているように、巻真挿通用空所は、貫通孔の代わりに、奥端部に壁部がある有底の穴の形態を採っていてもよい。
【００６４】
次に、以上の如く構成された電子時計１の地板１０を成形するための本発明の好ましい一実施例の成形用金型構造体及び成形方法について、図１の（ａ）に基づいて説明する。
【００６５】
本発明の金型構造体５は、下金型７０と上金型８０とからなる。なお、図１の（ａ）では、図１の（ｂ）に示した地板１０のうち壁部１２ｆと壁部１８ｒとの間の部分の成形に係る金型部分だけを示してある。
【００６６】
下金型７０は、基台（図示せず）に静置・固定され、上金型８０は下金型７０に対して上下方向Ｚに可動である。勿論、上金型８０を固定しておいて、下金型７０をＺ方向に可動にしても、両方の金型７０，８０をＺ方向に可動にしてもよい。また、可動方向は、典型的には上下方向であるけれども、斜め方向又は水平方向に相対動されるようにしておいてもよい。いずれの場合でも、一対の金型７０，８０が相互に近接・離間されるように移動される方向が図１の（ｂ）等のＺ方向に対応する。
【００６７】
この例では、下金型７０は、底面７１上に底壁部７２を備え、該底壁部７２のＺ１側表面７３からＺ１方向に突出した高さの異なる平行な突起部７４，７５，７６と、突起部７５，７６間においてＺ１方向に突出した小突起部７７を備える。突起部７４，７５，７７，７６は、夫々、幅Ｘｂ，Ｘｄ，Ｘｆ，Ｘｈを備え、突起部７４，７５，７７と隣接突起部７５，７７，７６との間には、夫々、大きさＸｃ，Ｘｅ，Ｘｇの間隙７８ｃ，７８ｅ，７８ｇが形成されている。下金型７０の表面７３は、間隙７８ｃ，７８ｅ，７８ｇのところにおいて、夫々、高さ位置の異なる表面部７３ｃ，７３ｅ，７３ｇを備え、表面部７３ｃは、更に、高さの異なる表面部分７３ｃ１，７３ｃ２からなり、表面部７３ｅも、高さの異なる表面部分７３ｅ１，７３ｅ２からなり、表面部７３ｇも、高さの異なる表面部分７３ｇ１，７３ｇ２からなる。突起部７４は、傾斜頂面部７４ｆ１及び平坦な頂面部７４ｆ２からなる先端面７３ｆを備え、突起部７５，７６，７７は、平坦な頂面部７５ｆ，７６ｆ，７７ｆを備える。
【００６８】
一方、上金型８０は、頂面８１下に頂壁部８２を備え、該頂壁部８２のＺ２側表面８３からＺ２方向に突出した高さの異なる平行な突起部８４，８５，８６，８７を備える。突起部８５，８６は、夫々、幅Ｘｃ，Ｘｅ＋Ｘｆ＋Ｘｇを備え、突起部８４，８５と隣接突起部８５，８６との間には、夫々、大きさＸｂ，Ｘｄの間隙８８ｂ，８８ｄが形成されている。また、突起部８６のＸ２側には、幅Ｘｈの凹部８８ｈがある。上金型８０の表面８３は、間隙８８ｂ，８８ｄ及び凹部８８ｈのところにおいて、夫々、高さ位置の異なる表面部８３ｂ，８３ｄ，８３ｈを備え、表面部８３ｂは、更に、高さの異なる表面部分８３ｂ１，８３ｂ２をからなる。突起部８４及び８５は平坦な下面部８４ｒ，８５ｒを備え、突起部８６は、高さの異なる下面部８６ｒ１，８６ｒ２を備える。下面部８６ｒ１は幅Ｘｅを有し、下面部８６ｒ２は幅Ｘｆ＋Ｘｇを有する。
【００６９】
以上の如く構成された下金型７０及び上金型８０を備えた金型構造体５による地板１０の成形は、次のようにして行なわれる。
【００７０】
上金型８０は、当初は、図１の（ａ）において想像線で部分的に示したように、固定金型の形態の下金型７０に対して、Ｚ１方向に引上げられた離型位置Ｑ１にある。この離型位置Ｑ１では、上金型８０の全ての突起部８４，８５，８７及び８７が、下金型７０の対応する凹部７８ａ，７８ｃ，７８ｊ並びに突起部７５と突起部７６との間の部分７８ｅｇ（凹部７８ｅ及び７８ｇ等）から完全に抜かれ、下金型７０の突起部７４，７５，７６が上金型８０の対応する凹部８８ｂ，８８ｄ，８８ｈから完全に抜けた状態にある。
【００７１】
成形に際しては、上金型８０を、実線で示した型締め位置Ｑ２まで、Ｚ２方向に押し下げる。上金型８０のＺ２方向の並進・下降に伴い、上金型８０の突起部８４，８５，８７，８６の先端部８４ａ，８５ａ，８７ａ，８６ａが下金型７０の対応する凹部７８ａ，７８ｃ，７８ｊ，７８ｅｇ（７８ｅ及び７８ｇ等）に丁度嵌り込み、上金型８０の対応する凹部８８ｂ，８８ｄ，８８ｈに下金型７０の突起部７４，７５，７６の先端部７４ａ，７５ａ，７６ａが丁度嵌り込む。上金型８０のＺ２方向の下降は、上金型８０の突起部８６が先端面８６ｒ２で下金型７０の突起部７７の先端面７７ｆに当接し、上金型８０の凹部８８ｂの突出底面部８３ｂ１に下金型７０の突起部７４の先端の傾斜面部７４ｆ１の上端が当接するところで、停止して、型締めが完了する。
【００７２】
この型締め状態においては、金型構造体５の上下の金型８０，７０の先端部８４ａ，７４ａ，８５ａ，７５ａ，８６ａ，７６ａ，８７ａがＸ方向に連続的に並び、奥に、空所９１ｒ，９２ｆ，９２ｒ，９３ｆ，９３ｒ，９４ｒ，９４ｆが形成される。この状態において、Ｘ方向に列を成す一連の先端部８４ａ，７４ａ，８５ａ，７５ａ，８６ａ，７６ａ，８７ａは、軸状空所形成部として、軸状空所ないし横穴である巻真挿通孔２０に相当する領域を占める。空所９１ｒは、下金型７０の凹部７８ａの表面７３ａ及び突起部７４の側面と上金型８０の突起部８４の先端面８４ｒとによって形成され、地板１０の壁部１８ｒと相補的形状を有する。空所９２ｆは、上金型８０の突起部８４，８５の側面及び凹部８８ｂの表面８３ｂと下金型７０の突起部７４の先端面７４ｆとによって形成され、地板１０の壁部１７ｆと相補的形状を有する。空所９２ｒは、下金型７０の突起部７４，７５の側面及び凹部７８ｃの表面７３ｃと上金型８０の突起部８５の先端面８５ｒとによって形成され、地板１０の壁部１７ｒと相補的形状を有する。空所９３ｆは、上金型８０の突起部８５，８６の側面及び凹部８８ｄの表面８３ｄと下金型７０の突起部７５の先端面７５ｆとによって形成され、地板１０の壁部１６ｆと相補的形状を有する。空所９３ｒは、下金型７０の突起部７５，７７の側面及び凹部７８ｅの表面７３ｅと上金型８０の突起部８６の先端面部分８６ｒ１とによって形成され、地板１０の壁部１６ｒと相補的形状を有する。空所９４ｒは、下金型７０の突起部７７，７６の側面及び凹部７８ｇの表面７３ｇと上金型８０の突起部８６の先端面部分８６ｒ２とによって形成され、地板１０の壁部１２ｒと相補的形状を有する。空所９４ｆは、上金型８０の突起部８６，８７の側面及び凹部８８ｈの表面８３ｈと下金型７０の突起部７６の先端面７６ｆとによって形成され、地板１０の壁部１２ｆと相補的形状を有する。
【００７３】
上金型８０が型締め位置Ｑ２に達して型締めが完了すると、成形材料導入孔（図示せず）から成形用樹脂材料が導入され、空所９１ｒ，９２ｆ，９２ｒ，９３ｆ，９３ｒ，９４ｒ，９４ｆ等に導入・充填されて、地板１０の成形が完了する。
【００７４】
成形樹脂材料の固化ないし硬化の後、上金型８０がＺ１方向に引上げられて型開きが行なわれる。上金型８０が型開き位置Ｑ１まで戻され、成形された地板１０が、型から取出される。典型的には、地板１０は、型開きの際に上金型８０と共にＺ１方向に持ち上げられピン等で突かれて型８０から離型されるように、上下の金型８０，７０が構成される。但し、所望ならば、成形された地板１０が型開きの際に下金型７０と共に残るようにしておいてもよく、その場合、上金型８０をＺ２方向に開いた後、地板１０がピンなどでＺ１方向に突き上げられて下金型７０から離型されるようにしておいてもよい。成形された地板１０は、空所９１ｒ，９２ｆ，９２ｒ，９３ｆ，９３ｒ，９４ｒ，９４ｆ等に対応する形状の壁部１８ｒ，１７ｆ，１７ｒ，１６ｆ，１６ｒ，１２ｒ，１２ｆ等を備える。
【００７５】
この金型構造体５では、地板１０の巻真３０の挿通孔２０の形成のために、中子を要しないので、金型構造体５自体の構造及び該金型構造体５の開閉制御機構の構造の複雑さが低減され得、そのコストも低減され得、ひいては、地板１０の製造に要する総コストが低減され得る。また、金型構造体５の構造が簡単になり且つ巻真挿通孔２０の成形のためには細長い中子を要しないことから、金型構造体５が損傷を受ける虞れが少なくなり、長期間高精度の成形を行なうことが可能になる。
【００７６】
なお、金型構造体５は、典型的には、中子を一切含まない。但し、所望ならば、巻真挿通孔（穴）以外の他の横穴の形成のために、図示しない中子を有していてもよい。
【図面の簡単な説明】
【００７７】
【図１】本発明による好ましい一実施例の金型構造体及び電子時計を示したもので、（ａ）は金型構造体の一部の断面説明図、（ｂ）は（ａ）の金型構造体で成形される地板を備えた電子時計について巻真が通常運針位置にある状態を部分的に示した断面説明図（地板の断面は、金型構造体の断面に対応する位置におけるもの）。
【図２】図１の（ａ）の金型構造体により成形される図１の（ｂ）の地板の一部を示した斜視説明図。
【図３】図１の（ｂ）の電子時計について巻真が針回し位置にある状態に関する図１の（ｂ）と同様な断面説明図。
【図４】巻真が針回し位置にある状態において、図３の電子時計の地板と図５の電子時計の地板との形状（構造）の差異を示すための図３と同様な断面説明図。
【図５】従来の電子時計について巻真が針回し位置にある状態に関する図３と同様な断面説明図。
【符号の説明】
【００７８】
１  電子時計
２  輪列受
３  時計輪列
５  金型構造体
１０  地板（時計輪列支持板）
１２ｆ，１２ｒ，１４，１６ｆ，１６ｒ，１７ｆ，１７ｒ  壁部
２０  巻真挿通孔
２１，２２，２３  孔形成面
２１ｆ，２１ｒ，２２ｆ，２２ｒ，２３ｆ，２３ｒ  周面部
３０  巻真
３１  角柱状部
３２，３４，３４ａ，３４ｂ  円柱状部
３６ａ，３６ｂ  小径軸部
３８  鍔状部
５０  つづみ車
５１  角筒状孔部
５２，５３  円筒状孔部
６０  日の裏車
６５  電池プラス端子
６６  ばね部
６８  開口
６８ａ  壁部
７０  下金型
７４，７５，７６，７７  突起部
７４ａ，７５ａ，７６ａ  先端部
７８ａ，７８ｃ，７８ｅ，７８ｇ，７８ｅｇ  凹部
８０  上金型
８４，８５，８６，８７  突起部
８４ａ，８５ａ，８６ａ，８７ａ  先端部
８８ｂ，８８ｄ，８８ｈ  凹部
９１ｒ，９２ｆ，９２ｒ，９３ｆ，９３ｒ，９４ｆ，９４ｒ  空所
Ａ  巻真の回転中心軸線
Ｈｒ１，Ｈｒ２，Ｈｆ１，Ｈｆ２，Ｈｆ３  間隙
Ｘ，Ｘ１，Ｘ２，Ｙ，Ｚ，Ｚ１，Ｚ２  方向
【図１】
2007046925.tif 000003
【図２】
2007046925.tif 000004
【図３】
2007046925.tif 000005
【図４】
2007046925.tif 000006
【図５】
2007046925.tif 000007